(57)【特許請求の範囲】
【請求項１】
内燃機関の排気通路に設けられ排気の状態を検出する検出手段と、
前記排気通路内に添加剤を添加する添加手段と、
前記検出手段及び前記添加手段よりも下流側に設けられ該添加手段から添加剤の供給を受ける触媒と、
前記添加手段から添加される添加剤により前記検出手段の検出精度が低下するか否かを判定する判定手段と、
前記判定手段により前記検出手段の検出精度が低下すると判定される場合に、前記検出手段による排気の状態の検出を停止させる停止手段と、
を備え、
前記触媒は排気を選択的に還元する選択還元型ＮＯx触媒を含んで構成され、前記検出
手段は排気中のＮＯx濃度を検出するＮＯxセンサを含んで構成され、前記添加手段はアンモニア由来の還元剤を添加することを特徴とする内燃機関の排気浄化装置。
【請求項２】
前記判定手段は、前記添加手段により添加剤が添加されているときに、前記検出手段の検出精度が低下すると判定することを特徴とする請求項１に記載の内燃機関の排気浄化装置。
【請求項３】
内燃機関の運転状態に基づいて該内燃機関の排気の状態を推定する推定手段を備え、
前記停止手段により前記検出手段による排気の状態の検出が停止されている場合には、前記検出手段による排気の状態の検出に代えて、前記推定手段による排気の状態の推定を行なうことを特徴とする請求項１または２に記載の内燃機関の排気浄化装置。
【請求項４】
内燃機関の排気中のＮＯｘ濃度を検出するときに、触媒へ添加する添加剤が存在することで排気中のＮＯｘ濃度の検出精度が低下するか否かを判定する第１の工程と、
排気中のＮＯｘ濃度の検出精度が低下すると判定される場合には排気中のＮＯｘ濃度の検出を停止させる第２の工程と、
を含んで構成され、
前記触媒は排気を選択的に還元する選択還元型ＮＯx触媒を含んで構成され、前記添加
剤はアンモニア由来の還元剤であることを特徴とする内燃機関の排気浄化方法。
【請求項５】
前記第１の工程では、添加剤が添加されているときに、排気中のＮＯｘ濃度の検出精度が低下すると判定することを特徴とする請求項４に記載の内燃機関の排気浄化方法。
【請求項６】
前記第２の工程において排気中のＮＯｘ濃度の検出が停止されている場合には、排気中のＮＯｘ濃度の検出に代えて、排気中のＮＯｘ濃度の推定を行なう第３の工程を含んで構成されることを特徴とする請求項４または５に記載の内燃機関の排気浄化方法。
【発明の詳細な説明】
【技術分野】
【０００１】
本発明は、内燃機関の排気浄化装置及び排気浄化方法に関する。
【背景技術】
【０００２】
内燃機関の排気通路の上流側から順に、ＮＯxセンサと、還元剤供給装置と、選択還元型ＮＯx触媒と、を設ける技術が知られている（例えば、特許文献１参照。）。【０００３】
ここで、還元剤供給装置よりも上流側にＮＯxセンサを設けていても、排気の脈動等により、還元剤供給装置から供給された還元剤としての尿素水がＮＯxセンサ付近まで逆流する虞がある。尿素由来のアンモニア（ＮＨ３）がＮＯxセンサに付着したり又はＮＯxセンサの近傍に存在したりしていると、該アンモニアがＮＯxと同様にしてＮＯxセンサに検出されることがある。一方、ＮＯxセンサに付着したアンモニアがＮＯxを還元してＮＯx濃度を低下させることがある。そうすると、排気中のＮＯx濃度を正確に検出することが困難となる。【０００４】
また、温度センサを備えている場合には、液状の還元剤が温度センサに付着したり又は温度センサの近傍に存在したりしていると、還元剤が気化するときに温度センサ周辺の熱を奪うため、排気の温度を正確に検出することが困難となる。【０００５】
さらに、還元剤としてＨＣを用いる触媒を設けている場合において、還元剤供給装置からＨＣを添加する場合には、添加されるＨＣにより排気の空燃比を正確に検出することが困難となる。【０００６】
このように、排気中に添加される添加剤がセンサに付着したり、センサ近傍に存在したりしていると、該センサの検出値に誤差が生じる虞がある。
【先行技術文献】
【特許文献】
【０００７】
【特許文献１】特開２００７−１７０３８３号公報
【特許文献２】特開２００９−１２１４１３号公報
【特許文献３】特開２００９−０２４６２８号公報
【発明の概要】
【発明が解決しようとする課題】
【０００８】
本発明は、上記したような問題点に鑑みてなされたものであり、排気中に添加される添加剤により、センサの検出値に誤差が生じることを抑制する技術の提供を目的とする。
【課題を解決するための手段】
【０００９】
上記課題を達成するために本発明による内燃機関の排気浄化装置は、以下の手段を採用した。すなわち、本発明による内燃機関の排気浄化装置は、
内燃機関の排気通路に設けられ排気の状態を検出する検出手段と、
前記排気通路内に添加剤を添加する添加手段と、
前記検出手段及び前記添加手段よりも下流側に設けられ該添加手段から添加剤の供給を受ける触媒と、
前記添加手段から添加される添加剤により前記検出手段の検出精度が低下するか否かを判定する判定手段と、
前記判定手段により前記検出手段の検出精度が低下すると判定される場合に、前記検出手段による排気の状態の検出を停止させる停止手段と、
を備えることを特徴とする。【００１０】
検出手段は、排気の状態を検出するセンサとしても良く、排気中の特定の成分の濃度を検出するセンサとしても良い。添加手段は、添加剤として例えば還元剤または酸化剤を添加する。そして、この添加剤は、下流の触媒で反応する。触媒は、添加剤の供給を受けることにより、例えば排気を浄化したり、排気の温度を上昇させたり、または浄化能力が回復したりする。【００１１】
ここで、添加手段から添加される添加剤が検出手段に付着したり検出手段の近傍に存在していたりすると、検出手段が添加剤の影響を受けるため、該検出手段の検出精度が低下する虞がある。このような場合に停止手段は、検出手段による排気の状態の検出を停止させる。そうすると、検出手段による検出値に誤差が生じることを抑制できる。一方、検出手段が添加剤の影響を受けない場合には、検出手段による検出値に誤差が生じない。このため、検出手段の検出精度は低下しないので、検出手段による排気の状態の検出を許可する。【００１２】
そして、前記判定手段は、前記添加手段により添加剤が添加されているときに、前記検出手段の検出精度が低下すると判定することができる。これは、添加手段により添加剤が添加されていないときと比較して検出精度が低下していると判定している。【００１３】
ここで、添加手段により添加剤が添加されていると、該添加剤が検出手段に向かって流れる虞がある。たとえ添加手段よりも上流側に検出手段が設けられていても、排気の脈動により添加剤が検出手段に向かって流れることがある。この添加剤が検出手段に付着したり、検出手段の近傍に存在したりすると、検出手段の精度が低下する虞がある。このようなときに、検出手段の検出精度が低下すると判定して排気の状態の検出を停止させれば、検出手段による検出値に誤差が生じることを抑制できる。【００１４】
なお、添加手段と検出手段との距離が長いほど、添加手段から添加される添加剤が検出手段に到達するまでの時間が長くなる。そうすると、この時間の分、検出手段の検出精度が低下する時期がずれる。そこで、添加剤が添加されてから検出手段に到達するまでの時間に応じて、排気の状態の検出を停止させる時期を決定しても良い。この時間は、例えば、添加手段と検出手段との距離及び排気の流速の影響を受けるため、これらに基づいて排気の状態の検出を停止させる時期を決定しても良い。この場合、判定手段は、添加手段から添加剤が添加される期間に対し、添加手段から検出手段まで添加剤が移動するまでの時間だけ後の期間において検出手段の検出精度が低下すると判定する。【００１５】
また、検出手段に付着する添加剤の量が多いほど、該添加剤が全て蒸発するまでの時間が長くなる。そうすると、この時間の分、検出手段の検出精度が低下する時期がずれる。そこで、添加剤が検出手段に付着してから、全て蒸発するまでの時間に応じて、排気の状態の検出を停止させる時期を決定しても良い。この時間は、例えば、添加剤の供給時期及び供給量の影響を受けるため、これらに基づいて排気の状態の検出を停止させる時期を決定しても良い。この場合、判定手段は、添加手段から添加剤が添加される期間に対し、添加剤が全て蒸発するまでの時間を加えた期間において検出手段の検出精度が低下すると判定する。また、上記時間のずれを考慮しても良い。【００１６】
また、内燃機関の運転状態に基づいて該内燃機関の排気の状態を推定する推定手段を備え、
前記停止手段により前記検出手段による排気の状態の検出が停止されている場合には、前記検出手段による排気の状態の検出に代えて、前記推定手段による排気の状態の推定を行なうことができる。【００１７】
そうすると、検出手段による排気の状態の検出を停止させているときであっても、推定手段を備えることにより排気の状態を取得することができる。例えば、排気の状態に応じて添加剤の添加量を決定する場合には、添加剤を添加している最中であっても推定値に応じて添加剤の添加量を決定することができる。なお、排気の状態は、例えば内燃機関の運転状態に応じて変化するため、該内燃機関の運転状態に基づいて排気の状態を推定することができる。【００１８】
また、前記触媒は排気を選択的に還元する選択還元型ＮＯx触媒を含んで構成され、前記検出手段は排気中のＮＯx濃度を検出するＮＯxセンサを含んで構成され、前記添加手段はアンモニア由来の還元剤を添加しても良い。【００１９】
検出手段としてＮＯxセンサを採用する場合には、アンモニアが検出されることにより検出値に誤差が生じる虞がある。これに対し、ＮＯxセンサの検出精度が低下すると判定される場合に、該ＮＯxセンサによるＮＯx濃度の検出を停止させれば、検出値に誤差が生じることを抑制できる。還元剤には、尿素を含むことができる。【００２０】
また、前記検出手段は、排気の温度を検出する温度センサを含んで構成されても良い。【００２１】
検出手段として温度センサを採用する場合には、添加剤が排気や温度センサから熱を奪うため、検出値に誤差を生じる虞がある。これに対し、温度センサの検出精度が低下すると判定される場合に、該温度センサによる排気の温度の検出を停止させれば、検出値に誤差が生じることを抑制できる。【００２２】
上記課題を達成するために本発明による内燃機関の排気浄化方法は、以下の手段を採用した。すなわち、本発明による内燃機関の排気浄化方法は、 
内燃機関の排気の状態を検出するときに、触媒へ添加する添加剤が存在することで排気の状態の検出精度が低下するか否かを判定する第１の工程と、
排気の状態の検出精度が低下すると判定される場合には排気の状態の検出を停止させる第２の工程と、
を含んで構成されることを特徴とする。【００２３】
なお、前記第１の工程では、添加剤が添加されているときに、排気の状態の検出精度が低下すると判定することができる。【００２４】
また、前記第２の工程において排気の状態の検出が停止されている場合には、排気の状態の検出に代えて、排気の状態の推定を行なう第３の工程を含んで構成されても良い。
【発明の効果】
【００２５】
本発明によれば、排気中に添加される添加剤により、センサの測定値に誤差が生じることを抑制できる。
【図面の簡単な説明】
【００２６】
【図１】実施例１，２に係る内燃機関の排気浄化装置の概略構成を示す図である。
【図２】実施例１に係る制御フローを示したフローチャートである。
【図３】実施例２に係る制御フローを示したフローチャートである。
【図４】実施例３に係る内燃機関の排気浄化装置の概略構成を示す図である。
【発明を実施するための形態】
【００２７】
以下、本発明に係る内燃機関の排気浄化装置及び排気浄化方法の具体的な実施態様について図面に基づいて説明する。
【実施例１】
【００２８】
図１は、本実施例に係る内燃機関の排気浄化装置の概略構成を示す図である。図１に示す内燃機関１は、４つの気筒を有する水冷式の４サイクル・ディーゼルエンジンである。なお、以下の実施例は、ガソリンエンジンであっても同様に適用することができる。【００２９】
内燃機関１には、排気通路２が接続されている。排気通路２には、排気の流れ方向で上流側から順に、センサ４、添加弁５、触媒３が設けられている。【００３０】
また、センサ４は、排気の状態を検出するものであり、例えば排気中の特定の成分の濃度を検出する。センサ４には、例えば空燃比センサ、酸素濃度センサ、ＨＣセンサ、またはＮＯxセンサを挙げることができる。また、例えば、排気の温度を検出する温度センサであっても良い。なお、本実施例においてはセンサ４が、本発明における検出手段に相当する。【００３１】
添加弁５は、還元剤または酸化剤等の添加剤を噴射する。添加剤には、例えば、燃料（ＨＣ）または尿素水等のアンモニア由来の還元剤を用いることができる。添加剤に何を用いるのかは、触媒３の種類に応じて決まる。そして、添加剤は、触媒３にて反応する。なお、本実施例においては添加弁５が、本発明における添加手段に相当する。【００３２】
触媒３には、例えば、吸蔵還元型ＮＯx触媒、選択還元型ＮＯx触媒、酸化触媒、または三元触媒を挙げることができる。また、これらの触媒を担持するか上流に備えるパティキュレートフィルタを備えていても良い。【００３３】
以上述べたように構成された内燃機関１には、該内燃機関１を制御するための電子制御ユニットであるＥＣＵ１０が併設されている。このＥＣＵ１０は、内燃機関１の運転条件や運転者の要求に応じて内燃機関１の運転状態を制御するユニットである。【００３４】
ＥＣＵ１０には、上記センサの他、運転者がアクセルペダル１１を踏み込んだ量に応じた電気信号を出力し機関負荷を検出可能なアクセル開度センサ１２、及び機関回転数を検出するクランクポジションセンサ１３が電気配線を介して接続され、これら各種センサの出力信号がＥＣＵ１０に入力されるようになっている。一方、ＥＣＵ１０には、添加弁５が電気配線を介して接続されており、該ＥＣＵ１０により添加弁５が制御される。【００３５】
なお、本実施例では、センサ４はＮＯxセンサとし、添加弁５は尿素水を添加するものとし、触媒３は選択還元型ＮＯx触媒として説明する。そうすると、添加弁５から添加された尿素水は、排気の熱で加水分解されアンモニア（ＮＨ３）となり、その一部又は全部が触媒３に吸着する。このアンモニアがＮＯxを選択的に還元させる。そして、触媒３にアンモニアを供給し、又は予め吸着させておき、触媒３をＮＯxが通過するときに該ＮＯxを還元させる。【００３６】
そして、触媒３にアンモニアを予め吸着させておくために、添加弁５から尿素水を間欠的に添加している。例えばセンサ４によりＮＯx濃度を検出し、該ＮＯx濃度と吸入空気量とからＮＯx量を算出する。このＮＯx量に応じて触媒３に吸着しているアンモニア量が減少するため、触媒３に吸着しているアンモニア量が規定量以下となったときに添加弁５から尿素水を添加する。なお、添加弁５から尿素水を添加する間隔を一定とし、センサ４により得られるＮＯx濃度に応じて添加弁５から添加する尿素水の量を決定しても良い。このように、尿素水は間欠的に添加される。【００３７】
ここで、添加弁５から排気中へ添加される尿素水は、排気の脈動によりセンサ４付近まで逆流する虞がある。ＮＯxセンサでは該ＮＯxセンサに塗布された触媒により、アンモニアもＮＯxと同じように検出されることもあるので、ＮＯxセンサの周辺にアンモニアが存在すると、ＮＯx濃度が実際よりも高く検出される虞がある。また、センサ４に尿素水が付着すると、該センサ４に塗布された触媒により排気中のＮＯxが還元されることがあるため、ＮＯx濃度が実際よりも低く検出される虞がある。このように、尿素水の添加により、センサ４の検出値に誤差が生じることがある。これに対し本実施例では、添加弁５から排気中へ尿素水を添加しているときには、センサ４でのＮＯx濃度の検出を停止する。【００３８】
図２は、本実施例に係る制御フローを示したフローチャートである。本ルーチンは、ＥＣＵ１０により所定の時間毎に繰り返し実行される。【００３９】
ステップＳ１０１では、添加弁５から尿素水が添加されているか否か判定される。すなわち、センサ４の検出値に誤差が生じる虞のある状態であるか否か判定される。ステップＳ１０１で肯定判定がなされた場合にはステップＳ１０２へ進み、否定判定がなされた場合にはステップＳ１０３へ進む。なお、本実施例においてはステップＳ１０１を処理するＥＣＵ１０が、本発明における判定手段に相当する。また、本実施例においてはステップＳ１０１が、本発明における第１の工程に相当する。【００４０】
ステップＳ１０２では、センサ４によるＮＯx濃度の検出を停止する。また、ステップＳ１０３では、センサ４によるＮＯx濃度の検出を許可する。なお、本実施例においてはステップＳ１０２を処理するＥＣＵ１０が、本発明における停止手段に相当する。また、本実施例においてはステップＳ１０２が、本発明における第２の工程に相当する。【００４１】
このようにして、添加弁５から尿素水が添加されているときにはセンサ４によるＮＯx濃度の検出を停止し、尿素水が添加されていないときにはセンサ４によるＮＯx濃度の検出が許可される。【００４２】
なお、本実施例では、添加弁５から尿素水を添加している期間にセンサ４によるＮＯx濃度の検出を停止させているが、これに代えて、尿素水がセンサ４に実際に付着している期間または尿素水がセンサ４周辺に実際に存在している期間にセンサ４によるＮＯx濃度の検出を停止させても良い。すなわち、添加弁５から添加される尿素水がセンサ４に到達するまでにかかる時間を考慮したり、添加弁５に付着した尿素水が蒸発するまでにかかる時間を考慮したりしても良い。これらの期間は、例えば尿素水の添加量、添加時期、排気の流量、添加弁５からセンサ４までの距離と相関関係にあるため、これらの値に基づいて求めることができる。この関係は予め実験等により求めてマップ化しＥＣＵ１０に記憶しておいても良い。【００４３】
また、例えば、排気の流速が規定値以下のときであって添加弁５から尿素水を添加している期間に、センサ４によるＮＯx濃度の検出を停止しても良い。この場合、排気の流速が規定値を超えているときには、添加弁５から尿素水を添加している期間であっても、センサ４によるＮＯx濃度の検出を許可する。ここで、排気の流速が高くなるほど、尿素水がセンサ４に付着し難くなる。また、排気の流速が高くなるほど、尿素水が逆流し難くなる。そうすると、排気の流速によっては、尿素水を添加してもセンサ４の検出値に影響を及ぼさないこともある。このようなときには、尿素水を添加しているときであっても、ＮＯx濃度の検出を許可することができる。これにより、必要の無いときまでＮＯx濃度の検出を停止させることを抑制できる。規定値は、尿素水がセンサ４に付着しないか又はセンサ４付近に存在しない流速として予め求めておく。なお、排気の流速に代えて、排気の流量又は空間速度（ＳＶ）を用いても良い。【００４４】
なお、センサ４が温度センサの場合には、添加弁５から添加される添加剤が蒸発するときに排気やセンサ４から熱を奪うため、排気の温度やセンサ４の温度を低下させる。このときにセンサ４により温度を検出していると、本来の排気の温度よりも低い温度が検出されてしまう。これに対し、添加弁５から添加剤を添加しているときにセンサ４による温度の検出を停止させれば、排気の温度の検出値に誤差が生じることを抑制できる。【００４５】
また、センサ４が空燃比センサで且つ添加剤がＨＣの場合には、添加弁５から添加されるＨＣが空燃比センサの検出値に影響を及ぼす。これに対し、添加弁５からＨＣを添加しているときに空燃比センサによる空燃比の検出を停止させれば、空燃比の検出値に誤差が生じることを抑制できる。そうすると、ＨＣの添加量を適正化できるため、触媒３がＨＣにより被毒することや過熱することを抑制できる。また、空燃比が低くなりすぎることによる硫化水素の発生を抑制することができる。【００４６】
なお、本実施例では、添加弁５がセンサ４よりも排気の流れ方向で下流側に取り付けられているが、これに代えて、センサ４の上流側に添加弁５を取り付けている場合であっても同様に適用することができる。また、添加弁５は、センサ４と排気の流れ方向で差の無い位置に取り付けても良い。【００４７】
以上説明したように本実施例によれば、添加弁５から添加剤が添加されているときに、センサ４による排気の状態の検出を停止させるため、該センサ４による検出値に誤差が生じることを抑制できる。これにより、適量の添加剤を添加することができるため、添加剤の不足による排気浄化性能の低下を抑制することができる。また、添加剤が過剰になることにより該添加剤が触媒３をすり抜けることを抑制できる。
【実施例２】
【００４８】
本実施例では、添加弁５から添加剤が添加されているときに、センサ４による排気の状態の検出を停止させると共に、内燃機関１の運転状態から排気の状態を推定し、この推定値をセンサ４により得られる検出値に代えて用いる。その他の装置については実施例１と同じため説明を省略する。【００４９】
添加弁５から添加剤が添加されているときには、センサ４による排気の状態の検出を停止する。これは、実施例１と同様にして実行されるため説明を省略する。そして、排気の状態を以下のようにして推定する。なお、このときの推定対象は、センサ４の検出対象と同じである。【００５０】
ここで、排気の状態は、例えば、機関回転数、アクセル開度、燃料噴射量、燃料噴射時期、スロットル開度、吸気温度、吸入空気量、大気圧等から影響を受ける。また、排気の一部を吸気通路へ供給するＥＧＲ装置を備えている場合には、ＥＧＲガスの流量を調節するＥＧＲ弁の開度や、ＥＧＲガスの冷却を行なうＥＧＲクーラの温度によっても影響を受ける。さらに、ターボチャージャを備えている場合には、過給圧、ターボチャージャの回転数の影響を受ける。可変容量型ターボチャージャを備えている場合には、ノズルベーンの開度の影響を受ける。なお、推定対象によっては影響を受けないものもある。【００５１】
すなわち、これらの値のなかで推定対象と相関関係があるものに基づいて、排気の状態を推定することができる。この関係は、予め実験等により求めてマップ化しておいても良い。【００５２】
図３は、本実施例に係る制御フローを示したフローチャートである。本ルーチンは、ＥＣＵ１０により所定の時間毎に繰り返し実行される。なお、センサ４はＮＯxセンサとし、添加弁５は尿素水を添加するものとし、触媒３は選択還元型ＮＯx触媒として説明する。なお、図２に示したフローと同じ処理がなされるステップについては、同じ符号を付して説明を省略する。そして、図３に示すフローでは、ステップＳ２０１において、ＮＯx濃度を推定している。このようにして推定されるＮＯx濃度に基づいて尿素水の添加量や添加時期を決定すれば、適正な量の添加剤を適正な時期に添加することができる。なお、本実施例においてはステップＳ２０１を処理するＥＣＵ１０が、本発明における推定手段に相当する。また、本実施例においてはステップＳ２０１が、本発明における第３の工程に相当する。【００５３】
以上説明したように本実施例によれば、添加弁５から添加剤が添加されているときには、センサ４による排気の状態の検出を停止させるため、該センサ４による検出値に誤差が生じることを抑制できる。また、このときには、推定により排気の状態を取得することができる。これにより、添加剤の添加量や添加時期の適正化を図ることができる。
【実施例３】
【００５４】
図４は、本実施例に係る内燃機関の排気浄化装置の概略構成を示す図である。主に、図１と異なる点について説明する。【００５５】
本実施例では、センサ４及び添加弁５よりも上流側の排気通路２に、上流側から順に酸化触媒２１及びパティキュレートフィルタ２２（以下、単にフィルタ２２という。）が設けられている。フィルタ２２は、排気中に含まれるＰＭを捕集する。そして、フィルタ２２に捕集されているＰＭを酸化するときに、酸化触媒２１へ例えばＨＣを供給することで、フィルタ２２の温度が高められる。なお、酸化触媒２１は、三元触媒または吸蔵還元型ＮＯx触媒等の酸化機能を有する他の触媒であっても良い。また、フィルタ２２に酸化触媒２１等を担持しても良い。【００５６】
添加弁５及びセンサ４は、フィルタ２２のすぐ下流の排気通路２に取り付けられている。添加弁５は、センサ４よりも排気の流れ方向で下流側か、センサ４と排気の流れ方向で差の無い位置に取り付けられる。すなわち、添加弁５よりもセンサ４が排気の流れ方向で下流側とならないように取り付けられる。また、添加弁５及びセンサ４は、フィルタ２２における圧力損失を低減させるために通路断面積が比較的大きくされている箇所に取り付けられている。【００５７】
そうすると、添加弁５から触媒３までの距離を長くすることができ、且つ通路面積が縮小及び拡大するため、添加剤が広い範囲に分散するようになるので、添加剤の濃度を均一にすることができる。これにより、触媒３における排気の浄化を促進させることができる。【００５８】
しかし、添加弁５とセンサ４との距離が短くなるため、添加弁５から添加される添加剤の影響をセンサ４が受け易くなる。【００５９】
これに対し、実施例１と同様に、添加弁５から添加剤を添加するときには、センサ４にて排気の状態を検出することを停止する。また、実施例２と同様に、添加弁５から添加剤を添加するときには、センサ４による排気の状態の検出を停止させると共に、内燃機関１の運転状態から排気の状態を推定しても良い。このようにして、排気の浄化性能を高めつつ、センサ４の検出値に誤差が生じることを抑制できる。
【符号の説明】
【００６０】
１     内燃機関
２     排気通路
３     触媒
４     センサ
５     添加弁
１０   ＥＣＵ
１１   アクセルペダル
１２   アクセル開度センサ
１３   クランクポジションセンサ
２１   酸化触媒
２２   パティキュレートフィルタ
【図１】
0005382129.tif 000002
【図２】
0005382129.tif 000003
【図３】
0005382129.tif 000004
【図４】
0005382129.tif 000005